(57)【要約】【課題】ダクト配管長さ等や、縦に長い換気扇を設置し壁内部をチャンバー空間として床下から外気を取り入れる際の外気取り入れのための空間を確保するための設置位置に制約がされないことを目的とする。【解決手段】躯体３の側面に静電霧化装置９を備えた外装ケース１０を別パーツで設けた換気装置で、躯体３を上下対象にし、右側面１１または左側面１２に開口部４を設けたという構成にしたことにより、同構造の躯体３を用いて、上下逆取付け、さらには、開口部を左右のどちらか配するので、躯体３の種類を増やすことなく、壁の右側でも左側でも設置できる換気装置を得られる。【選択図】図３
2013076504.tif 000002
【特許請求の範囲】
【請求項１】
家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体を上下対象にし、右側面または左側面に前記開口部を設けたことを特徴とする換気装置。
【請求項２】
上下対象の前記躯体の上下に電動機固定板固定構造と、ベアリング固定板の固定構造を設け、それらの固定構造、固定ピッチを同等に設計したことを特徴とする請求項１に記載の
換気装置。
【請求項３】
躯体正面にパネルを備え、前記パネルの固定構造を上下対称にしたことを特徴とする請求項１または２に記載の換気装置。
【請求項４】
前記躯体は壁面内部に備えられた金枠に固定され、前記金枠への前記躯体の固定ネジピッチを上下非対称にしたことを特徴とする請求項１〜３のいずれかに記載の換気装置。
【発明の詳細な説明】
【技術分野】
【０００１】
本発明は、床下から室内に空気を送り込む換気装置に関するものである。
【背景技術】
【０００２】
従来、この種の換気装置は、屋外の空気を送風機で吸い込み屋内へ吹き出すものが知られている（例えば、特許文献１参照）。
【先行技術文献】
【特許文献】
【０００３】
【特許文献１】特許第４４３２６３３号公報
【発明の概要】
【発明が解決しようとする課題】
【０００４】
このような従来の換気装置においては、ダクト配管長さ等により、設置位置に制約され、また、縦に長い換気扇を設置し壁内部をチャンバー空間として床下から外気を取り入れる際に、外気取り入れのための空間を確保するためには設置位置に制約がされる、という課題を有していた。
【０００５】
そこで本発明は、上記従来の課題を解決するものであり、ダクト配管長さ等や、縦に長い換気扇を設置し壁内部をチャンバー空間として床下から外気を取り入れる際の外気取り入れのための空間を確保するための設置位置に制約がされない換気装置を提供することを目的とする。
【課題を解決するための手段】
【０００６】
そして、この目的を達成するために、本発明は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体を上下対象にし、右側面または左側面に前記開口部を設けたこととしたものであり、これにより所期の目的を達成するものである。
【発明の効果】
【０００７】
本発明によれば、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体を上下対象にし、右側面または左側面に前記開口部を設けたという構成にしたことにより、同構造の躯体を用いて、上下逆取付け、さらには、開口部を左右のどちらか配することとなるので、ダクト配管長さ等や、縦に長い換気扇を設置し壁内部をチャンバー空間として床下から外気を取り入れる際の外気取り入れのための空間を確保するための設置位置に制約がされない、という効果を得ることができる。
【図面の簡単な説明】
【０００８】
【図１】本発明の実施の形態１の換気装置を示す斜視図
【図２】同換気装置の上方からの断面構成図
【図３】同換気装置の分解正面図
【発明を実施するための形態】
【０００９】
本発明の請求項１記載の換気装置は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体を上下対象にし、右側面または左側面に前記開口部を設けた、という構成を有する。これにより、同構造の躯体を用いて、上下逆取付け、さらには、開口部を左右のどちらか配することとなるので、ダクト配管長さ等や、縦に長い換気扇を設置し壁内部をチャンバー空間として床下から外気を取り入れる際の外気取り入れのための空間を確保するための設置位置に制約がされない、という効果を奏する。
【００１０】
また、上下対象の前記躯体の上下に電動機固定板固定構造と、ベアリング固定板の固定構造を設け、それらの固定構造、固定ピッチを同等に設けた、という構成にしてもよい。これにより、上下逆取付時にも、モーターを上側に、ベアリングを下側になるように組替えるとなるので、躯体の種類を増やすことなく、モーター内部のベアリングにかかる負荷を低減し、より信頼性を向上させることができる、という効果を奏する。
【００１１】
また、躯体正面にパネルを備え、前記パネルの固定構造を上下対称にした、という構成にしてもよい。これにより、躯体を上下逆取付にしても、パネルの取り付け向きを変更する必要がないこととなるので、躯体の種類を増やすことなく、躯体を上下逆としても壁面上に見える部分を同一デザインにできる、という効果を奏する。
【００１２】
また、躯体は壁面内部に備えられた金枠に固定され、前記金枠への前記躯体の固定ネジピッチを上下非対称にした、という構成にしてもよい。これにより、上下逆取付した際、金枠のネジピッチと合致しないこととなるので、取り付け間違いを防止することができる、という効果を奏する。
【００１３】
以下、本発明の実施の形態について図面を参照しながら説明する。
【００１４】
図１〜図３に示すように、家屋の屋内１壁面２に設置する躯体３に、空気を取り入れる開口部４と、開口部４から屋内１までの送風路５と、屋内１に空気を送り出す貫流ファン６と、貫流ファン６を強制的に回転させる電動機７と、送風路５の前面に前記貫流ファン６を電動機７によって回転させることによって発生する風を室内すなわち屋内１に流入させるための給気口８を設け、躯体３の側面に静電霧化装置９を備えた外装ケース１０を別パーツで設けた換気装置で、躯体３を上下対象にし、右側面１１または左側面１２に開口部４を設けたものである。
【００１５】
このような構成にすることで、同構造の躯体を用いて、上下逆取付け、さらには、開口部を左右のどちらか配することとなる。
【００１６】
よって、ダクト配管長さ等や、縦に長い換気扇を設置し壁内部をチャンバー空間として床下から外気を取り入れる際の外気取り入れのための空間を確保するための設置位置に制約がされない、という効果を得ることができる。
【００１７】
そして、上下対象にする構造としては、上下対象の前記躯体の上下に電動機固定板１３の固定構造１５−ａと、ベアリング固定板１４の固定構造１５−ｂを設け、それらの固定構造、固定ピッチを同等に設けたものである。
【００１８】
一例として、図３に示すように、固定構造１５−ａが４箇所、固定構造１５−ｂも４箇所、その４箇所の配置が上下対象としている。
【００１９】
固定構造１５−ｂは４箇所設けているが、ベアリング固定板１４には２箇所の固定でも良い。
【００２０】
このような構成にすることで、上下逆取付時にも、モーターを上側に、ベアリングを下側になるように組替えることとなる。
【００２１】
よって、躯体の種類を増やすことなく、モーター内部のベアリングにかかる負荷を低減し、より信頼性を向上させることができる、という効果を得ることができる。
【００２２】
また、躯体３正面にパネル１６を備え、パネル１６の固定構造２１を上下対称にしたものである。
【００２３】
このような構成にすることで、躯体を上下逆取付にしても、パネルの取り付け向きを変更する必要がないこととなる。
【００２４】
よって、躯体の種類を増やすことなく、躯体を上下逆としても壁面上に見える部分を同一デザインにできる、という効果を得ることができる。
【００２５】
また、躯体３は壁面２内部に備えられた金枠１８に固定され、前記金枠１８への前記躯体３の固定ネジ２３ピッチ２４を上下非対称にしたものである。
【００２６】
このような構成にすることで、上下逆取付した際、金枠のネジピッチと合致しないこととなる。
【００２７】
よって、取り付け間違いを防止することができる、という効果を得ることができる。
【００２８】
また、電動機７を躯体３の上方に配置し、電動機７の下方に、貫流ファン６を設ける構成とする。吊り下げ式の固定方法とすることで、貫流ファン６の回転バランスを良化することができ、振動や騒音の発生を防止することができる。
【産業上の利用可能性】
【００２９】
本発明にかかる換気装置は、本体の施工時のネジ止め時に本体が落下せずに、作業性を良化することができるもので、リビング等の居室等に使用される室内に空気を送り込む換気装置等として有用である。
【符号の説明】
【００３０】
１        屋内
２        壁面
３        躯体
４        開口部
５        送風路
６        貫流ファン
７        電動機
８        給気口
９        静電霧化装置
１０      外装ケース
１１      右側面
１２      左側面
１３      電動機固定板
１４      ベアリング固定板
１５−ａ  固定構造
１５−ｂ  固定構造
１６      パネル
１７      パネル固定構造
１８      金枠
１９      固定ねじ
【図１】
2013076504.tif 000003
【図２】
2013076504.tif 000004
【図３】
2013076504.tif 000005